(57)【要約】【課題】土手部にかかる荷重をシートパッドの圧縮方向でより確実に受けることを可能としつつ、シートカバーの適所に補強材を配設することにある。【解決手段】土手部４ｂのシート内側をなす天板サイド部４ｃを覆うシートカバー部分は、シートの意匠面を構成可能なシートカバー本体（ＳＰ２）と、シートカバー本体（ＳＰ２）のシートパッド４Ｐを臨む裏側に配設されている面状の補強材２０ａとを有している乗物用シートにおいて、補強材２０ａが、シートパッド側に向けて撓み変形可能な素材で構成されているとともに、一般部位２４と、一般部位２４よりもシートパッド側に向けて撓みやすい可撓部位２２とを有し、可撓部位２２によって土手部４ｂの頂ＴＰａ側の補強材部分が構成されている。【選択図】図３
2018197036.tif 000002
【特許請求の範囲】
【請求項１】
発泡樹脂製のシートパッドと、前記シートパッドを被覆するシートカバーとを一体で備え、前記シートパッドの着座面は、シート幅方向における中央をなす着座部と、前記着座部のシート幅方向における側方で着座側に突出する土手部とを有し、前記土手部のシート内側をなす天板サイド部を覆うシートカバー部分は、シートの意匠面を構成可能なシートカバー本体と、前記シートカバー本体の前記シートパッドを臨む裏側に配設されている面状の補強材とを有している乗物用シートにおいて、
前記補強材が、シートパッド側に向けて撓み変形可能な素材で構成されているとともに、一般部位と、前記一般部位よりもシートパッド側に向けて撓みやすい可撓部位とを有し、前記可撓部位によって前記土手部の頂側の補強材部分が構成されている乗物用シート。
【請求項２】
前記可撓部位は、前記シートパッドを構成している樹脂の入り込みを規制している規制部を有している請求項１に記載の乗物用シート。
【請求項３】
前記規制部は、前記可撓部位とは異なる別部材で構成されている請求項２に記載の乗物用シート。
【請求項４】
前記一般部位は、前記シートパッドを構成している樹脂が入り込んで固化している含浸部を有しているとともに、
前記規制部は、前記含浸部に比して小量の前記樹脂が入り込んで固化している低含浸部を有している請求項２又は３に記載の乗物用シート。
【請求項５】
前記可撓部位は、前記補強材の構成素材量が前記一般部位よりも減少していることにより、前記一般部位よりもシートパッド側に撓みやすい請求項１〜４のいずれか一項に記載の乗物用シート。
【請求項６】
前記可撓部位の補強材の厚み方向における寸法を、前記一般部位の補強材の厚み方向における寸法よりも小さくしている請求項１〜５のいずれか一項に記載の乗物用シート。
【発明の詳細な説明】
【技術分野】
【０００１】
本発明は、発泡樹脂製のシートパッドと、シートパッドを覆うシートカバーとを一体で備えるとともに、シートカバーが、シートカバー本体と、シートカバー本体の裏側に配設された面状の補強材とを有している乗物用シートに関する。
【背景技術】
【０００２】
この種の乗物用シートでは、発泡樹脂製のシートパッドに対してシートカバーが一体となっていることがあり、シートカバーの裏側には、シートパッドの一部が入り込んで固化している。例えば特許文献１に開示の乗物用シートでは、座面となるシートクッションにおいて、発泡樹脂製のシートパッドに対してシートカバーが一体となっている。このシートパッドの上面は、乗員の着座が可能な着座部と、着座部に比して上方に山なりに盛り上がっている土手部が設けられている。着座部は、シート幅方向におけるシートパッドの上面中央に設けられている。また土手部は、シート幅方向における着座部の左右両側にそれぞれ設けられており、これら左右の土手部によって、コーナリング走行時などに着座部上の乗員の側方を支持できる。
【０００３】
またシートカバーは、シートカバー本体と、面状の補強材を有している。シートカバー本体は、シートの意匠面を構成する布材で構成されており、着座部を覆う主面部と、土手部を覆う傾斜サイド部とを有している。そして傾斜サイド部は、乗員を側方から支持する部分であるため、面状の補強材によって補強されている。この補強材は、概ね一様な厚み寸法を備えているフェルト製の面材であり、傾斜サイド部の裏側で且つ土手部のシート内側の部分に配置されている。そして公知技術においては、シートパッドの成形型内にシートカバーを予め配置しておくことで、シートパッドを成形すると同時にシートカバーに一体化することができる。このときシートパッドの成形材料となる樹脂材料が、シートカバー本体と補強材の適宜の部分に含浸して固化することにより、シートカバー本体が、補強材とともにシートパッドに一体化されることとなる。
【先行技術文献】
【特許文献】
【０００４】
【特許文献１】特開２０１４−１９３２３０号公報
【発明の概要】
【発明が解決しようとする課題】
【０００５】
ところで公知技術では、土手部にて乗員を支持する際に、乗員の荷重をシートパッドが圧縮方向で受けることにより、土手部の頂側が下方に凹み変形する。そして土手部の凹み変形時には、頂側の傾斜サイド部部分が、対応する補強材部分とともにシートパッド側に撓み変形することとなる。しかし公知技術では、シートパッド側に撓ませたい頂側の補強材部分が、シートパッドの樹脂の入り込みによって撓りにくくなった状態で、シートパッドと強固に一体化している。このため頂側の補強材部分がシートパッドの圧縮にスムーズに追従せず、当該補強材部分との境のシートパッド部分が剥離方向又はせん断方向に荷重をうけて破れるおそれがあった。本発明は上述の点に鑑みて創案されたものであり、本発明が解決しようとする課題は、土手部にかかる荷重をシートパッドの圧縮方向でより確実に受けることを可能としつつ、シートカバーの適所に補強材を配設することにある。
【課題を解決するための手段】
【０００６】
上記課題を解決するための手段として、第１発明の乗物用シートは、発泡樹脂製のシートパッドと、シートパッドを被覆するシートカバーとを一体で備えている。そしてシートパッドの着座面は、シート幅方向における中央をなす着座部と、着座部のシート幅方向における側方で着座側に突出する土手部とを有している。また土手部のシート内側をなす天板サイド部を覆うシートカバー部分は、シートの意匠面を構成可能なシートカバー本体と、シートカバー本体のシートパッドを臨む裏側に配設されている面状の補強材とを有している。この種のシート構成においては、土手部にかかる荷重をシートパッドの圧縮方向でより確実に受けることを可能としつつ、シートカバーの適所に補強材を配設できることが望ましい。
【０００７】
そこで本発明では、補強材が、シートパッド側に向けて撓み変形可能な素材で構成されているとともに、一般部位と、一般部位よりもシートパッド側に向けて撓みやすい可撓部位とを有し、可撓部位によって土手部の頂側の補強材部分が構成されている。本発明では、土手部を覆うシートカバー部分において、シートカバー本体が面状の補強材にて補強されている。そして土手部の頂側をなしている補強材部分が相対的に撓みやすい可撓部位で構成されている。このため土手部に荷重が入力された際に、シートパッドの圧縮に可撓部位がスムーズに追従することで、より確実にシートパッドの圧縮方向で荷重を受けることが可能となる。
【０００８】
第２発明の乗物用シートは、第１発明の乗物用シートにおいて、可撓部位は、シートパッドを構成している樹脂の入り込みを規制している規制部を有している。本発明では、規制部によって、可撓部位に対する樹脂の入り込みを適度に規制して制限している。このため樹脂の含浸が原因となる可撓部位の意図しない硬化によって、シートパッド側への可撓部位の撓み変形が阻害されることを極力回避することができる。
【０００９】
第３発明の乗物用シートは、第２発明の乗物用シートにおいて、規制部が、可撓部位とは異なる別部材で構成されている。本発明では、規制部を別部材で構成することにより、可撓部位自体の構成を極力変更することなく、可撓部位の意図しない硬化を極力阻止することができる。
【００１０】
第４発明の乗物用シートは、第２発明又は第３発明の乗物用シートにおいて、一般部位は、シートパッドを構成している樹脂が入り込んで固化している含浸部を有しているとともに、規制部は、含浸部に比して小量の樹脂が入り込んで固化している低含浸部を有している。本発明では、低含浸部によって、規制部がシートパッドに適度に一体化されている。このためシートパッドが荷重を受ける際に、シートパッドと規制部とが相対移動して擦れ合うことを極力回避することができる。
【００１１】
第５発明の乗物用シートは、第１発明〜第４発明のいずれかの乗物用シートにおいて、可撓部位は、補強材の構成素材量が一般部位よりも減少していることにより、一般部位よりもシートパッド側に撓みやすい。本発明では、補強材の構成素材の量を調節することにより、可撓部位をより確実に撓みやすくすることができる。
【００１２】
第６発明の乗物用シートは、第１発明〜第５発明のいずれかの乗物用シートにおいて、可撓部位の補強材の厚み方向における寸法を、一般部位の補強材の厚み方向における寸法よりも小さくしている。本発明では、可撓部位の厚み方向における寸法を相対的に小さくすることにより、可撓部位を更に確実に撓みやすくすることができる。
【発明の効果】
【００１３】
本発明に係る第１発明によれば、土手部にかかる荷重をシートパッドの圧縮方向でより確実に受けることを可能としつつ、シートカバーの適所に補強材を配設することができる。また第２発明によれば、土手部にかかる荷重をシートパッドの圧縮方向で更に確実に受けることが可能となる。また第３発明によれば、シートカバーの適所に所望の性能を備えた補強材を配設することができる。また第４発明によれば、シートカバーの適所に補強材の規制部を耐久性よく設けることができる。また第５発明によれば、補強材を、シートパッド側により確実に撓みやすくすることができる。そして第６発明によれば、補強材を、シートパッド側に更に確実に撓みやすくすることができる。
【図面の簡単な説明】
【００１４】
【図１】乗物用シートの斜視図である。
【図２】図１のＩＩ−ＩＩ線断面に相当するシートクッションの概略断面図である。
【図３】土手部一部の概略断面図である。
【図４】荷重入力時のシートパッドと補強材の概略断面図である。
【図５】実施例２にかかる土手部一部の概略断面図である。
【図６】実施例２にかかるシートパッドと補強材の概略断面図である。
【発明を実施するための形態】
【００１５】
以下、本発明を実施するための形態を、図１〜図６を参照して説明する。各図には、乗物用シートの前後方向と上下方向と左右方向を示す矢線を適宜図示する。なお図２〜図５では、便宜上、シートカバーと補強材の寸法を誇張して大きく図示している。また図４では、便宜上、土手部の凹み変形度合いを誇張して図示するとともに、荷重の入力方向を、白抜きの矢印で図示する。
【００１６】
［実施例１］
図１の乗物用シート２は、シートクッション４と、シートバック６と、ヘッドレスト８を備えている。これらシート構成部材（４，６，８）は、各々、シート骨格をなすシートフレーム（４Ｆ，６Ｆ，８Ｆ）と、シート外形をなすシートパッド（４Ｐ，６Ｐ，８Ｐ）と、シートパッドを被覆するシートカバー（４Ｓ，６Ｓ，８Ｓ）を有する。そしてシートクッション４（詳細後述）の後部に、起立状態のシートバック６の下部が起倒可能に連結されている。また起立状態のシートバック６の上部にヘッドレスト８が配設されている。
【００１７】
［シートクッション］
シートクッション４では、図１及び図２を参照して、シートパッド４Ｐとシートカバー４Ｓ（ともに詳細後述）が一体化された状態でシートフレーム４Ｆ上に配置されている。ここでシートフレーム４Ｆは、典型的に上方視で略矩形の枠体であり、金属や硬質樹脂などの剛性に優れる素材にて形成できる。またシートパッド４Ｐは、後述するようにシート幅方向中央の着座部４ａと、相対的に上方に突出する左右一対の土手部４ｂとを有している。またシートカバー４Ｓは、シートパッド４Ｐの各部４ａ，４ｂ等を被覆しているとともに、左右の土手部４ｂを覆うシートカバー４Ｓ部分の裏側には後述する補強材２０ａ，２０ｂが配設されている。
【００１８】
そしてコーナリング走行時などにおいては、着座部４ａ上の乗員（図示省略）の側方を例えば左側の土手部４ｂで支持する。このとき図１及び図４に示すように乗員の荷重をシートパッド４Ｐが圧縮方向で受けることにより、土手部４ｂの頂（ＴＰａ，ＴＰｂ）側が下方に凹み変形する。この土手部４ｂの凹み変形時には、頂側のシートカバー４Ｓ部分が、対応する補強材２０ａ部分とともにシートパッド４Ｐ側に撓み変形することとなる。この種の構成においては、シートパッド４Ｐの圧縮が補強材２０ａによって阻害されないように配慮すべきである。そこで本実施例では、後述する構成によって、土手部４ｂにかかる荷重をシートパッド４Ｐの圧縮方向でより確実に受けることを可能としつつ、シートカバー４Ｓの適所に補強材２０ａ，２０ｂを配設することとした。以下、各構成について詳述する。
【００１９】
［シートパッド］
シートパッド４Ｐは、図１を参照して、上方視で略矩形状の部材であり、乗員を弾性的に支持することができる。この種のシートパッド４Ｐの材質として各種の発泡樹脂を用いることができ、例えばポリウレタンフォーム（密度：１０ｋｇ／ｍ3〜６０ｋｇ／ｍ3）又はこれに類する発泡樹脂を好適に使用できる。そしてシートパッド４Ｐの着座面となる上面は、図１及び図２を参照して、着座部４ａと、左右一対の土手部４ｂとに区分けできる。着座部４ａは、シート幅方向である左右方向の中央に形成されている略平坦な部位であり、乗員の着座が可能な幅寸法を有して前後方向に延びている。また各土手部４ｂは、着座部４ａの左方又は右方において上方に向けて山なりに盛り上がって突出している部位であり、コーナリング走行時等に乗員の側方を支持することができる。これら左右一対の土手部４ｂは、左右対称となるように配置されている。例えば左側の土手部４ｂは、図２を参照して、シート内側をなす天板サイド部４ｃと、シート外側をなすカマチ部４ｄで構成されており、左側の土手部４ｂの頂ＴＰａが天板サイド部４ｃとカマチ部４ｄの分かれ目となっている。また図１に示す右側の土手部４ｂも、天板サイド部とカマチ部（ともに符号省略）で構成されており、右側の土手部４ｂの頂ＴＰｂが天板サイド部とカマチ部の分かれ目となっている。
【００２０】
［シートカバー］
シートカバー４Ｓは、シートの意匠面を構成する面材であり、図１を参照して、本発明のシートカバー本体をなす複数の表皮ピースＳＰ１〜ＳＰ５と、後述する左右一対の補強材２０ａ，２０ｂを有している。ここで各表皮ピースＳＰ１〜ＳＰ５の材質として、例えば布帛（織物，編物，不織布）や皮革（天然皮革，合成皮革）を用いることができる。また図２に示すように表皮ピースＳＰ１〜ＳＰ５の裏面には、ウレタンラミなどのパッド材ＰＭを取付けることができ、さらに不織布などの裏基布（図示省略）を適宜取付けることもできる。
【００２１】
［表皮ピース（シートカバー本体）］
そして第一表皮ピースＳＰ１は、図１を参照して、着座部４ａを覆う略矩形の表皮ピースであり、前後に並列した一対の表皮片ＳＰａ，ＳＰｂを縫合することで形成されている。また第二表皮ピースＳＰ２は、左側の土手部４ｂの天板サイド部４ｃを覆う略矩形の表皮ピースであり、図２を参照して、右側から左側に向かうにつれて次第に上方を向くように傾斜して配置されている。また第三表皮ピースＳＰ３は、左側の土手部４ｂのカマチ部４ｄを覆う略矩形の表皮ピースであり、右側から左側に向かうにつれて次第に下方を向くように配置されたのち後方に向いている。そして隣り合う表皮ピース同士は、これらの隣り合う端部に設けられている縫い代同士で縫合されており、これら各縫い代は、シートカバー４Ｓの裏側に突出して配置されている。例えば図２を参照して、第一表皮ピースＳＰ１の左端部の縫い代１１と第二表皮ピースＳＰ２の右端部の縫い代１２ａは中表状に縫合された状態とされて、着座部４ａと左側の土手部４ｂの間に配置されている（図２では、便宜上、縫い代同士を縫合する縫合線ＳＥＷを直線で示す）。また第二表皮ピースＳＰ２の左端部の縫い代１２ｂと第三表皮ピースの右端部１３の縫い代は中表状に縫合された状態とされて、左側の土手部４ｂの頂ＴＰａに概ね一致した位置に配置されている。
【００２２】
また第四表皮ピースＳＰ４は、図１を参照して、右側の土手部４ｂの天板サイド部を覆う略矩形の表皮ピースであり、第五表皮ピースＳＰ５は、右側の土手部４ｂのカマチ部を覆う略矩形の表皮ピースである。これら第四表皮ピースＳＰ４及び第五表皮ピースＳＰ５は、左側の土手部４ｂを覆う第二表皮ピースＳＰ２及び第三表皮ピースＳＰ３と左右対称となるように配置されている。そして第四表皮ピースＳＰ４の右端部の縫い代（図示省略）と第五表皮ピースＳＰ５の左端部の縫い代（図示省略）も中表状に縫合された状態とされて、右側の土手部４ｂの頂ＴＰｂに概ね一致した位置に配置されている。
【００２３】
［補強材］
左右一対の補強材２０ａ，２０ｂは、図１を参照して、それぞれ対応する表皮ピースＳＰ２，ＳＰ４を補強する面材であり、シートパッド４Ｐ側に向けて撓み変形可能である。ここで各補強材２０ａ，２０ｂの素材は、適度な可撓性を備えている限り特に限定しないが、対応する表皮ピースＳＰ２，ＳＰ４よりも剛性に優れる素材であることが好ましく、シートパッド４Ｐの樹脂材料がパッド材ＰＭよりも含浸しにくい素材であることが更に好ましい。この種の補強材２０ａ，２０ｂの素材として、フェルトなどの繊維積層体、対応する表皮ピースＳＰ２，ＳＰ４よりも厚手の布帛や皮革、パッド材ＰＭよりも高密度とされたマット状の発泡樹脂体、シート状の軟質樹脂体を例示できる。本実施例では、第二表皮ピースＳＰ２の裏側に左側の補強材２０ａが配設され、第四表皮ピースＳＰ４の裏側に右側の補強材２０ｂが配設されている。これら左右の補強材２０ａ，２０ｂは、左右対称に配置される以外は略同一の基本構成を有しているため、以下に、左側の補強材２０ａを一例にその詳細を説明する。
【００２４】
この補強材２０ａは、図１を参照して、シート前後方向に長尺な略矩形とされたフェルト製の面材であり、図２に示すように第二表皮ピースＳＰ２裏面のパッド材ＰＭに接着材ＳＭを介して固定されている。そして補強材２０ａは、第二表皮ピースＳＰ２に沿って配置されており、補強材２０ａの短尺方向である左右方向の寸法は、左右の縫い代１２ａ，１２ｂを除く第二表皮ピースＳＰ２部分の寸法と概ね同一とされている。このため補強材２０ａの右端は、第二表皮ピースＳＰ２の右端部の縫い代１２ａに近接配置され、補強材２０ａの左端は、左側の頂ＴＰａに配置された第二表皮ピースＳＰ２の左端部の縫い代１２ｂに近接配置されている。
【００２５】
［一般部位］
そして補強材２０ａは、図２を参照して、可撓部位２２と、一般部位２４とが適宜の位置に設けられている。一般部位２４は、第二表皮ピースＳＰ２を主に補強する部分であり、補強材２０ａの右端から後述の可撓部位２２に至るまでの補強材部分を構成している。また一般部位２４は、図３を参照して、第二表皮ピースＳＰ２を補強する観点から適度な厚み寸法Ｔ１を有している。そして一般部位２４のシートパッド４Ｐを臨む裏側には、シートパッド４Ｐの樹脂が入り込んで固化している含浸部２４ａが設けられており、この含浸部２４ａによって、一般部位２４の裏側がシートパッド４Ｐに一体化されている。そして本実施例の一般部位２４は、シートカバー４Ｓに比してシートパッド４Ｐが含浸しにくい素材で構成されているため、含浸部２４ａが、一般部位２４の裏側にのみ設けられて、一般部位２４のシートカバー４Ｓを臨む表面には到達していない状態とされている。
【００２６】
［可撓部位］
また可撓部位２２は、図２及び図３を参照して、一般部位２４よりもシートパッド４Ｐ側に撓みやすい部位であり、土手部４ｂの頂側に配置されている。すなわち可撓部位２２は、一般部位２４よりも土手部４ｂの頂ＴＰａ側の補強材部分である左端部を構成しており、補強材２０ａの長尺方向（図１の前後方向）に向けて連続的に形成されている。ここで補強材２０ａの短尺方向（図２の左右方向）において、可撓部位２２を設けるべき補強材２０ａの範囲は、土手部４ｂの凹み変形度合いに応じて設定可能である。例えば補強材２０ａを短尺方向に四分割して四つの領域に分けた場合、可撓部位２２を、補強材２０ａの最も左側の領域に設定することができ、この場合には可撓部位２２を除くその他の領域が一般部位２４となる。そして本実施例の可撓部位２２は、後述する規制部３０にてシートパッド４Ｐの樹脂の入り込みが規制されることで、一般部位２４に比してシートパッド側に撓みやすくされている。
【００２７】
［規制部］
規制部３０は、図２及び図３を参照して、可撓部位２２に対するシートパッド４Ｐの樹脂の入り込みを規制する部位であり、本発明の可撓部位とは異なる別部材であるシール材３２にて形成されている。この規制部３０は、可撓部位２２を被覆可能な面材であり、低含浸部３４と、バリア部と、接着部とが積層されて一体化されている（各図では、便宜上、低含浸部にのみ符号３４を付し、バリア部と接着部については符号を省略する）。低含浸部３４は、含浸部２４ａに比して小量の樹脂が入り込んで固化している部位であり、シール材３２の最も表層側に設けられている。この低含浸部３４は、例えば補強材２０ａで例示の素材（不織布など）で構成でき、一般部位２４に比して厚み寸法が小さくされている。またバリア部は、専らシートパッド４Ｐの樹脂の入り込みを制限又は阻止する部位であり、低含浸部３４の裏側に配置されている。このバリア部は、例えばフィルム状の樹脂体や、低通気性の発泡樹脂体（通気度：０ｃｃ/ｃｍ2・ｓｅｃ〜１０ｃｃ/ｃｍ2・ｓｅｃ）や、繊維を密に交絡させた面材で構成できる。そして接着部は、シール材３２の最も裏層側に設けられて可撓部位２２に接着固定される部分であり、ケイ素系やカルシウム系などの無機系の接着成分、熱可塑性樹脂や熱固化性樹脂などの有機系の接着成分で構成できる。そして本実施例では、後述するシートパッド４Ｐとシートカバー４Ｓの一体化の前に、規制部３０としてのシール材３２を可撓部位２２に接着して、可撓部位２２の裏面と左端面と表面等を被覆しておく。こうしてシール材３２によって可撓部位２２を包み込むように被覆しておくことにより、可撓部位２２に対するシートパッド４Ｐの樹脂材料の含浸を規制することができる。
【００２８】
［シートパッドとシートカバーの一体化の手法］
シートカバー４Ｓは、一体成形などの手法によって、シートパッド４Ｐの成形と同時に一体化することができる。ここでシートパッド４Ｐは、図示しない成形装置のキャビティ内で、シートパッド４Ｐの樹脂材料を発泡させることで成形される。そこで本実施例では、各補強材２０ａ，２０ｂを固定したシートカバー４Ｓを、キャビティを構成する成形装置の内壁の適所に予め配置し、シートカバー４Ｓと補強材２０ａ，２０ｂの裏側をキャビティの内方に向けておく。この状態でキャビティ内に樹脂材料を射出したのち、この樹脂材料を発泡させてシートパッド４Ｐを成形する。そして樹脂材料が発泡しつつ、着座部４ａ及びカマチ部４ｄの表皮ピース（ＳＰ１，ＳＰ３，ＳＰ５）の裏側のパッド材ＰＭに含浸して固化する。こうしてシートパッド４Ｐの樹脂がパッド材ＰＭに入り込んで固化することで、着座部４ａ及びカマチ部４ｄの表皮ピース（ＳＰ１，ＳＰ３，ＳＰ５）がシートパッド４Ｐに一体化される。
【００２９】
また天板サイド部４ｃの表皮ピース（ＳＰ２，ＳＰ４）では、その裏側に配設されている補強材２０ａ，２０ｂに樹脂材料が含浸しようとする。このとき補強材２０ａ，２０ｂの一般部位２４の裏側では、樹脂材料が含浸して固化することにより含浸部２４ａが形成される。また補強材２０ａ，２０ｂの可撓部位２２では、規制部３０としてのシール材３２のバリア部によって樹脂の入り込みが規制されるため、ほとんど樹脂の入り込みのない状態となる。そして規制部３０としてのシール材３２には、その表層側をなしている低含浸部３４に、含浸部２４ａに比して少量の樹脂が含浸して固化する。こうしてシートパッド４Ｐの樹脂が一般部位２４と低含浸部３４に入り込んで固化することで、天板サイド部４ｃの表皮ピース（ＳＰ２，ＳＰ４）が各補強材２０ａ，２０ｂを介してシートパッド４Ｐに一体化される。そして低含浸部３４に対して樹脂が入り込んで固化することにより、規制部３０としてのシール材３２が、低含浸部３４を介してシートパッド４Ｐに適度に一体化した状態となる。
【００３０】
［シートクッションの使用態様］
図３及び図４を参照して、例えば左側の土手部４ｂに乗員が押し付けられた際に、乗員の荷重をシートパッド４Ｐが圧縮方向で受けることにより、土手部４ｂの頂ＴＰａ側が下方に凹み変形する。この土手部４ｂの凹み変形時には、頂ＴＰａ側のシートカバー４Ｓ部分が、補強材２０ａとともにシートパッド４Ｐ側に撓み変形する。この種の構成においては、頂ＴＰａ側の補強材部分（可撓部位２２）が撓みにくくなるなどして、シートパッド４Ｐの圧縮が阻害されてしまうことは極力回避すべきである。すなわち図３を参照して、可撓部位２２が硬く撓みにくいことでシートパッド４Ｐの圧縮にスムーズに追従しない場合、可撓部位２２との境のシートパッド部分４ＰＢが剥離方向Ｄ１又はせん断方向Ｄ２に荷重をうけるおそれがある。
【００３１】
そこで本実施例では、図３を参照して、補強材２０ａが、一般部位２４と、一般部位２４よりもシートパッド４Ｐ側に撓みやすい可撓部位２２とを有している。そして可撓部位２２によって、一般部位２４よりも土手部４ｂの頂ＴＰａ側の補強材部分である左端部が構成されている。すなわち可撓部位２２は、規制部３０としてのシール材３２にてシートパッド４Ｐの樹脂の入り込みが規制されて意図しない硬化が回避されている。このため可撓部位２２は、補強材本来の柔軟性が保持されることにより、一般部位２４に比してシートパッド側に撓みやすくされている。さらに規制部３０を、可撓部位２２とは異なる別部材としてのシール材３２で構成することにより、可撓部位２２自体の構成を極力変更することなく、可撓部位２２の意図しない硬化を極力阻止することができる。このように可撓部位２２の構成を変更する必要がないため、構成変更に伴う可撓部位２２の柔軟性の悪化を好適に回避できる。このため図４を参照して、土手部４ｂの凹み変形時には、補強材２０ａの可撓部位２２がシートパッド４Ｐ側に撓み変形して、シートパッド４Ｐの圧縮にスムーズに追従することとなる。こうして乗員の荷重をシートパッド４Ｐが圧縮方向で受けることにより、図３に示すシートパッド部分４ＰＢが剥離方向Ｄ１又はせん断方向Ｄ２に荷重をうけるといった事態を好適に回避することができる。なお図１に示す右側の土手部４ｂにおいても、補強材２０ｂの可撓部位がシートパッド４Ｐ側に撓み変形して、シートパッド４Ｐの圧縮にスムーズに追従する。このため右側の土手部４ｂにおいても、乗員の荷重をシートパッド４Ｐが圧縮方向で受けることが可能となっている。
【００３２】
ところで上述のシート構成においては、シートパッド４Ｐが荷重を受ける際に、シートパッド４Ｐと規制部３０が、例えば図３に示すせん断方向Ｄ２に相対移動することにより、シートパッド４Ｐと規制部３０が擦れ合って破損するおそれがある。そこで本実施例では、規制部３０が、含浸部２４ａに比して小量の樹脂が入り込んで固化している低含浸部３４を有するとともに、低含浸部３４を介してシートパッド４Ｐに適度に一体化されている。こうして本実施例では、シートパッド４Ｐが荷重を受ける際に、シートパッド４Ｐと規制部３０が一体的に移動する構成としたため、これらが相対移動して擦れ合うことを極力回避でき、シートの耐久性向上に資する構成となる。
【００３３】
以上説明した通り本実施例では、土手部４ｂを覆うシートカバー４Ｓ部分において、シートカバー本体（ＳＰ２，ＳＰ４）が面状の補強材２０ａ，２０ｂにて補強されている。そして土手部４ｂの頂側をなしている補強材２０ａ，２０ｂ部分が相対的に撓みやすい可撓部位２２で構成されている。このため土手部４ｂに荷重が入力された際に、シートパッド４Ｐの圧縮に可撓部位２２がスムーズに追従することで、より確実にシートパッド４Ｐの圧縮方向で荷重を受けることが可能となる。また本実施例では、規制部３０によって、可撓部位２２に対する樹脂の入り込みを適度に規制して制限している。このため樹脂の含浸が原因となる可撓部位２２の意図しない硬化によって、シートパッド４Ｐ側への可撓部位２２の撓み変形が阻害されることを極力回避することができる。また本実施例では、規制部３０を別部材で構成することにより、可撓部位２２自体の構成を極力変更することなく、可撓部位２２の意図しない硬化を極力阻止することができる。そして本実施例では、低含浸部３４によって、規制部３０がシートパッド４Ｐに適度に一体化されている。このためシートパッド４Ｐが荷重を受ける際に、シートパッド４Ｐと規制部３０とが相対移動して擦れ合うことを極力回避することができる。このため本実施例によれば、土手部４ｂにかかる荷重をシートパッド４Ｐの圧縮方向でより確実に受けることを可能としつつ、シートカバー４Ｓの適所に補強材２０ａ，２０ｂを配設することができる。
【００３４】
［実施例２］
実施例２の乗物用シート２では、実施例１の乗物用シートとほぼ同一の基本構成を備える構成については、対応する符号を付す等して詳細な説明を省略する。本実施例のシートクッション４においては、図５及び図６を参照して、左側の天板サイド部４ｃの第二表皮ピースＳＰ２を補強する補強材２０ｘが設けられている。この補強材２０ｘは、実施例１の補強材と概ね同一構成の面材であり、可撓部位２２ｘと、実施例１と同一構成の一般部位２４を有している。そして本実施例の可撓部位２２ｘは、図６を参照して、補強材２０ｘの構成素材量が一般部位２４よりも減少していることにより、一般部位２４よりもシートパッド４Ｐ側に撓みやすくされている。すなわち可撓部位２２ｘの厚み方向の寸法を、補強材２０ｘの構成素材量を減少させて、一般部位２４の厚み方向の寸法Ｔ１よりも小さくしている。この可撓部位２２ｘは、土手部４ｂの頂ＴＰａに向かうにつれて次第に薄くなっており（連続的に薄くなっており）、可撓部位２２ｘの左端の厚み寸法Ｔ２（Ｔ２＜Ｔ１）が最も小さくされている。こうして可撓部位２２ｘ自体の厚み寸法を小さくすることにより、可撓部位２２ｘ自体が、一般部位２４よりもシートパッド４Ｐ側に撓みやすくされており、特に頂ＴＰａに向かうにつれて次第に大きく撓むことができる。また可撓部位２２ｘに対してシートパッド４Ｐの樹脂材料が含浸して他の含浸部（符号省略）が形成されたとしても、この他の含浸部における樹脂の入り込み量は、可撓部位２２ｘの素材量に応じて相対的に少なくなる。このように本実施例では、補強材２０ｘの構成素材の量を調節することにより、可撓部位２２ｘをより確実に撓みやすくすることができる。特に可撓部位２２ｘの厚み方向における寸法を相対的に小さくすることにより、可撓部位２２ｘを更に確実に撓みやすくすることができる。
【００３５】
本実施形態の乗物用シートは、上述した実施形態に限定されるものではなく、その他各種の実施形態を取り得る。本実施形態では、補強材２０ａ，２０ｂ，２０ｘの構成（形状，寸法，配置位置，構成部位など）を例示したが、補強材の構成を限定する趣旨ではない。例えば可撓部位は、補強材の長尺方向に連続的に設けられていてもよく、荷重の入力が想定される補強材部分にのみ設けられていてもよい。また補強材では、可撓部位自体で規制部が構成されていてもよい。例えば樹脂製の可撓部位の場合、この可撓部位の裏側を溶融させて固化した固化層を規制部として用いることができる。また規制部を別部材として構成する場合には、バリア部を備えた各種の部材を用いることができ、規制部に低含浸部を設けない構成とすることもできる。また規制部は、接着や融着や貼着のほか、ステープルやクリップなどの留具で補強材に取付けることができる。なおシール材は、可撓部位のシートパッドを臨む部分を覆っておればよく、少なくとも可撓部位の裏面と左端面とを覆うことが望ましい。
【００３６】
また実施例２のように補強材の構成素材量を調整して可撓部位を形成する場合、土手部の頂に向けて可撓部位を直線状又は湾曲状に連続的に薄くする場合のほか、段差状や階段状に段階的に薄くすることもできる。また可能ならば補強材の面方向において切欠きや孔部を適宜設ける（構成素材量を減少させる）などして可撓部位を撓みやすくすることもできる。また実施例１の可撓部位の構成と実施例２の可撓部位の構成は適宜組み合わせて用いることができる。なお可撓部位の補強材の厚み方向における寸法は、補強材の構成素材量とは無関係に一般部位の補強材の厚み方向における寸法よりも小さくすることができる。また実施例２では、可撓部位のシートパッドを臨む裏面側が傾斜状となって土手部の頂に向かうにつれて次第に薄くなっていたが、可撓部位の表面側と裏面側の少なくとも一方が傾斜状となって土手部の頂に向かうにつれて次第に薄くなっていてもよい。
【００３７】
また本実施形態では、シートカバー４Ｓの構成（形状，寸法，シートカバー本体をなしている表皮ピースの構成など）を例示したが、シートカバーの構成を限定する趣旨ではない。例えばシートカバーは、シートカバー本体のみで構成されていてもよい。また着座部と土手部は、一枚物の表皮ピース又は複数の表皮ピースで被覆されていてもよい。また土手部の頂点に、表皮ピースの縫い代を配置させてもよく、表皮ピースの縫い代を配置させなくともよい。
【００３８】
また本実施形態では、シートクッション４を一例に説明したが、本実施例の構成は、シートバック６などの各種シート構成部材に適用可能である。なお土手部は、着座部の左方と右方の少なくとも一方に設けることができる。また本実施形態の構成は、車両や航空機や電車などの乗物用シート全般に適用できる。
【符号の説明】
【００３９】
２     乗物用シート
４     シートクッション
６     シートバック
８     ヘッドレスト
４Ｆ   シートフレーム
４Ｐ   シートパッド
４Ｓ   シートカバー
４ａ   着座部
４ｂ   土手部
４ｃ   天板サイド部
４ｄ   カマチ部
２０ａ，２０ｂ  補強材
２２   可撓部位
２４   一般部位
２４ａ 含浸部
３０   規制部
３２   シール材（本発明の可撓部位とは異なる別部材）
３４   低含浸部
ＰＭ   パッド材
ＳＭ   接着材
ＳＰ１ 第一表皮ピース
ＳＰ２ 第二表皮ピース（本発明のシートカバー本体）
ＳＰ３ 第三表皮ピース
ＳＰ４ 第四表皮ピース（本発明のシートカバー本体）
ＳＰ５ 第五表皮ピース
ＴＰａ 左側の土手部の頂
ＴＰｂ 右側の土手部の頂
２０ｘ 実施例２の補強材
２２ｘ 実施例２の可撓部位
【図１】
2018197036.tif 000003
【図２】
2018197036.tif 000004
【図３】
2018197036.tif 000005
【図４】
2018197036.tif 000006
【図５】
2018197036.tif 000007
【図６】
2018197036.tif 000008